(57)【要約】【課題】アライメント治具によってアライメント状態を正確に確認することができるプレスフィットコネクタを提供する。【解決手段】コネクタ室２２に、アライメント検知を行う場合であってコネクタ室２２にアライメント治具３０を装着させたとき、コネクタ室２２の一方側の内部側面に対面するアライメント治具３０の一方側の側面を、該アライメント治具３０の一方側の側面がアライメント基準位置に位置するようコネクタ室２２の一方側の内部側面に向けて押圧させる押圧手段３４を設けた。【選択図】図１
2011146233.tif 000002
【特許請求の範囲】
【請求項１】
相手側コネクタが収容されるコネクタ室を有するコネクタハウジングを備え、前記コネクタ室を画成する一方側の内部側面にアライメント基準位置が設定された、プレスフィットコネクタであって、
前記コネクタ室に、アライメント検知を行う場合であって前記コネクタ室にアライメント治具を装着させたとき、前記コネクタ室の一方側の内部側面に対面する前記アライメント治具の一方側の側面を、該アライメント治具の一方側の側面が前記アライメント基準位置に位置するよう前記コネクタ室の一方側の内部側面に向けて押圧させる押圧手段を設けた、
ことを特徴とするプレスフィットコネクタ。
【請求項２】
前記押圧手段は、前記コネクタ室の底部に穿たれた挿入穴と、前記挿入孔を画成する内面から突出する押圧片と、を含み、
前記押圧片は、前記アライメント治具の側面から突出する突起が前記挿入孔に挿入された際、前記アライメント治具の一方側の側面から前記コネクタ室の一方側の内部側面に向う方向に前記突起を押圧する、
ことを特徴とする請求項１に記載のプレスフィットコネクタ。
【請求項３】
前記挿入穴は、前記コネクタ室の底部の、前記コネクタ室の一方側の内部側面近傍に形成されている、
ことを特徴とする請求項１または２に記載のプレスフィットコネクタ。
【発明の詳細な説明】
【技術分野】
【０００１】
本発明は、アライメント治具を適正な位置に収容することができるプレスフィットコネクタに関するものである。
【背景技術】
【０００２】
従来、電気機器などにおいては、各種タイプのコネクタが使用されている。このコネクタには、はんだフリーおよび作業の効率化などの観点から、プレスフィットタイプのものも知られている。さらに、このプレスフィットコネクタには、例えばレバー嵌合式コネクタなどの各種タイプのものが知られている（例えば、特許文献１参照）。
【０００３】
ここで、レバー嵌合式コネクタについて説明する。
図１１に示すレバー嵌合式コネクタ（以下「コネクタ」という）１００は、図１０に示す電気接続箱２００の上カバー２１０に配置されており、上カバー２１０と下カバー２２０との間に積層される配線基板２３０上のブスバー２４０と、ワイヤーハーネスＷ．Ｈ．の端末部分と、を接続する。
【０００４】
図１１は、コネクタを示す分解斜視図である。コネクタ１００は、上カバー２１０のハウジング２１１と一体にフード２１２が形成された雌コネクタ部１１０と、この雌コネクタ部１１０のフード２１２内に挿入嵌合されるコネクタ本体１２０Ａを有する雄コネクタ１２０と、この雄コネクタ１２０のコネクタ本体１２０Ａに外挿されてコネクタ本体１２０Ａを雌コネクタ部１１０のフード２１２内に挿入及び嵌合させるレバー１３０と、からなる。
【０００５】
このコネクタ１００では、コネクタ本体１２０Ａに対して仮係止位置にレバー１３０を仮止め固定した状態で、コネクタ本体１２０Ａをフード２１２に挿入した初期嵌合位置で、レバー壁１３１の突起部１３１Ａがフード２１２に係止すると共に、コネクタ本体１２０Ａから突設した仮係止突起１２１がフード２１２に係止する。これにより、コネクタ本体１２０Ａをフード２１２に対して仮止め位置に仮止め固定することができる。
【先行技術文献】
【特許文献】
【０００６】
【特許文献１】特開平１１−３１５５１号公報
【発明の概要】
【発明が解決しようとする課題】
【０００７】
ところで、このコネクタのようなプレスフィットコネクタにあっては、例えば、コネクタハウジングに一体に組付けるコネクタの各端子と、この端子に接続させる相手側のコネクタの端子との確実かつスムースな接続を行うため、ハウジングに組付ける端子のアライメント状態をアライメント治具によって確認及び調整することが重要である。
【０００８】
本発明は、上述した事情に鑑みてなされたものであり、その目的は、アライメント治具によってアライメント状態を確認及び調整することができるプレスフィットコネクタを提供することにある。
【課題を解決するための手段】
【０００９】
前述した目的を達成するために、本発明に係るプレスフィットコネクタは、下記（１）〜（３）を特徴としている。
（１）  相手側コネクタが収容されるコネクタ室を有するコネクタハウジングを備え、前記コネクタ室を画成する一方側の内部側面にアライメント基準位置が設定された、プレスフィットコネクタであって、
前記コネクタ室に、アライメント検知を行う場合であって前記コネクタ室にアライメント治具を装着させたとき、前記コネクタ室の一方側の内部側面に対面する前記アライメント治具の一方側の側面を、該アライメント治具の一方側の側面が前記アライメント基準位置に位置するよう前記コネクタ室の一方側の内部側面に向けて押圧させる押圧手段を設けた、
こと。
（２）  上記（１）の構成のプレスフィットコネクタであって、
前記押圧手段は、前記コネクタ室の底部に穿たれた挿入穴と、前記挿入孔を画成する内面から突出する押圧片と、を含み、
前記押圧片は、前記アライメント治具の側面から突出する突起が前記挿入孔に挿入された際、前記アライメント治具の一方側の側面から前記コネクタ室の一方側の内部側面に向う方向に前記突起を押圧する、
こと。
（３）  上記（１）または（２）の構成のプレスフィットコネクタであって、
前記挿入穴は、前記コネクタ室の底部の、前記コネクタ室の一方側の内部側面近傍に形成されている、
こと。
【００１０】
上記（１）の構成のプレスフィットコネクタによれば、プレスフィットコネクタのコネクタハウジングに設けたコネクタ室の一面にアライメント治具を確実に押圧させ、アライメント治具の位置決めを正確に行うことができるので、コネクタ室の底部に設けたコネクタ部の端子のアライメント状態を正確に確認して良好な精度でのアライメント調整を行うことが可能となる。
上記（２）または（３）の構成のプレスフィットコネクタによれば、多数台のプレスフィットコネクタに対してアライメント検知を行っても、アライメント治具の交換が不要で、その分のコスト削減も図ることができるようになる。
【発明の効果】
【００１１】
本発明のプレスフィットコネクタは、コネクタ室のアライメント検知を行う際に、コネクタ室にアライメント治具を装着させてアライメント治具の一方側の側面を押圧する押圧手段を設けており、プレスフィットコネクタのコネクタハウジングに設けたコネクタ室の一面にアライメント治具を確実に押圧させ、アライメント治具の位置決めを正確に行うことができるので、コネクタ室の底部に設けた端子のアライメント状態を正確に確認して良好な精度でのアライメント調整を行うことができる。
【００１２】
以上、本発明について簡潔に説明した。更に、以下に説明される発明を実施するための形態を添付の図面を参照して通読することにより、本発明の詳細は更に明確化されるであろう。
【図面の簡単な説明】
【００１３】
【図１】本発明の実施形態に係るプレスフィットコネクタ及びアライメント治具を示す分解斜視図
【図２】（Ａ）はそのプレスフィットコネクタを示す斜視図、（Ｂ）はそのＩＩＢ−ＩＩＢ線矢視断面図
【図３】本発明の実施形態に係るプレスフィットコネクタのアライメント治具を示す斜視図
【図４】本発明の実施形態に係るプレスフィットコネクタにアライメント治具を装着した状態を示す平面図
【図５】図４におけるＶ−Ｖ線矢視断面図
【図６】（Ａ）は図２（Ｂ）のＡ部拡大図、（Ｂ）は図５のＢ部拡大断面図
【図７】（Ａ）アライメント治具を装着していない状態の、本発明の実施形態に係るプレスフィットコネクタを示す平面図、（Ｂ）は（Ａ）でのＣ部拡大断面図
【図８】比較例のアライメント治具を装着させたプレスフィットコネクタを示す平面図
【図９】図８の比較例のアライメント治具の原理を示す説明図
【図１０】従来のプレスフィットコネクタの一例を示すレバー嵌合式コネクタが適用された電気接続箱を示す分解斜視図
【図１１】図１０のレバー嵌合式コネクタの分解斜視図
【発明を実施するための形態】
【００１４】
以下、本発明の実施形態について添付図面を参照しながら詳細に説明する。
図１は、本発明の一実施形態に係るプレスフィットコネクタとアライメント治具から構成されるアライメント装置１０を示すものであり、このプレスフィットのアライメント装置１０は、プレスフィットコネクタ２０と、アライメント治具３０と、で構成されている。このプレスフィットコネクタ２０には、後述するコネクタ室２２にアライメント治具３０を押圧させる押圧手段４０を設けている。
【００１５】
プレスフィットコネクタ２０は、適宜の樹脂材料で形成されたコネクタハウジング２１によって形作られており、適宜の手段で図示外の基板その他の実装部材に装着させるようになっている。このため、このコネクタハウジング２１の外周面の底部２５側（図２では右端部寄り）の側面には、図示外の実装部材の表面に当接する突出面２１Ａ及び嵌合爪２１Ｂ等が形成されている。
【００１６】
このコネクタハウジング２１は、一面が開口した開口部を有する略箱状に形成されており、その開口部の内部空間が雄コネクタ５０（図７、図８参照）を収容させるコネクタ室２２を構成している。コネクタ室２２には、そのコネクタ室２２の奥部である開口部の底部（図１では右面部分に対応する）２５には雌端子が複数個立設された雌コネクタ部２３が設けられている。
【００１７】
また、このコネクタハウジング２１は、開口部内部のコネクタ室２２を画成する一方側の内部側面にアライメント治具が配置される際に沿うべき寸法基準であるアライメント基準位置（以下、アライメントラインＡ．Ｌ．とよぶ；図２（Ｂ）、図４、図５及び図８を参照）が設定されているとともに、コネクタハウジング２１の、同じ一方側の内部側面２２Ｄ寄りの底部２５の一部（角隅部分）に、前述の押圧手段４０を備える。
【００１８】
本実施形態のコネクタ室２２は、それぞれ断面略矩形形状を有する同一の２つの開口部から構成されている。そして、コネクタハウジング２１の、各開口部を構成する長辺側内壁面と短辺側の内壁面のうち、互いに対面する短辺側の両内壁面（以下、「端面側内壁面」とよぶ）２２Ａ、２２Ｄには、図２及び図４に示すように、ぞれぞれ、２つの突起、即ち第１突起２２１Ａ及び第２突起２２２Ａがコネクタ室２２内部に臨むように所定間隔（後述するアライメント治具３０の中央突起３３Ａ、３３Ｂの幅寸法と同一）離れて形成されている。
【００１９】
なお、これらの突起２２１Ａ、２２２Ａは、次に説明するように一部がアライメント基準位置を決定する重要な要素を構成する他に、後述する各突起とともに、コネクタ室２２にアライメント治具３０を装着させる際に、そのアライメント治具３０の各外面に当接させることでアライメント治具３０を正確に位置決めさせる、補助手段としても機能するようになっている。
【００２０】
両端面側内壁面２２Ａ、２２Ｄにそれぞれ形成されている第１突起２２１Ａ及び第２突起２２２Ａのうち、一方側（図２、図４では右側）の端面側内壁面２２Ｄ（これが「一方側の内部側面」を構成している）に形成されている第１突起２２１Ａ及び第２突起２２２Ａについては、その突出した先端面どうしを繋ぐ線分を延長させたラインが、図４に示すアライメント基準位置となるアライメントラインＡ．Ｌ．を構成している。即ち、本実施形態では、図８に示すように、アライメントラインＡ．Ｌ．とアライメント治具３０の一端面との一致具合の状態からアライメント検知を行うように設定されている。但し、図８では、アライメント治具３０の替わりに、比較例として用いるアライメント治具６０が装着されている。また、図８のコネクタハウジング２１では、図４のものとは上下が逆様に配置されている。
【００２１】
また、両端面側内壁面２２Ａ、２２Ｄのうち、アライメントラインＡ．Ｌ．を構成している方の第１突起２２１Ａ及び第２突起２２２Ａが形成されている一方側（図２、図４では右側）の端面側内壁面２２Ｄ（以下、これを「当接面α」と呼ぶ場合がある）は、後述するアライメント治具３０の中央突起３３Ａの外面３３１Ａを圧接した状態で当接させるように構成されている。
【００２２】
一方、コネクタハウジング２１の、互いに対面する長辺側の両内壁面２２Ｂ、２２Ｃのうち一方の長辺側の内壁面２２Ｂには、図２及び図４に示すように、第３突起２２１Ｂ、第４突起２２２Ｂがそれぞれ２か所に形成されているとともに、他方の長辺側の内壁面２２Ｃには、第５突起２２１Ｃが３か所に形成されている。
【００２３】
アライメント治具３０は、雄コネクタ（雌コネクタ部２３の相手側コネクタを構成する）５０をコネクタ室２２に取付けるのに先立って、そのコネクタ室２２に装着させてアライメント検知及び後述する雌コネクタ部２３の端子の位置決め調整を行うものである。本実施形態のアライメント治具３０は、図５に示すコネクタハウジング２１の底部２５に設けた雌コネクタ部２３に臨む先端面３０Ｂには、図３に示すように、雌コネクタ部２３の各端子に対応して検査調整孔３１を設けている。検査調整孔３１は、雌コネクタ部２３の端子が正確に所定位置に配置されているか否かを確認検知するのと同時に、所定の許容精度を越える位置ずれを検知した場合にその調整も行うことができるようになっている。
【００２４】
また、図３に示すように、アライメント治具３０には、図４に示すコネクタ室２２の角隅に入り込む左右一対の角状突起３２が先端部に突設されているとともに、この角状突起３２から前述の第２突起２２２Ａが嵌入可能なスペースＳだけ離間した先端部の中央部には、中央突起３３Ａ、３３Ｂが左右に一対突設されている。
【００２５】
さらに、本発明のアライメント治具３０には、図５、図６に示すように、コネクタハウジング２１の底部２５の、コネクタハウジング２１の一方側の端面側内壁面２２Ｄ寄りに設けた挿入穴２４に挿入される一対の突起３４を、本体３０Ａの先端面３０Ｂからコネクタハウジング２１の底部２５に向けて突出させて設けている。このアライメント治具３０は、上述の突起３４を含む後述の押圧手段４０により、左右両側の中央突起３３Ａ、３３Ｂのうち突起３４を設けてある方の中央突起３３Ａの外面３３１Ａ（図３参照）が、コネクタ室２２に臨むコネクタハウジング２１の当接面αである、一方側の端面側内壁面２２Ｄに押圧された状態で当接され、コネクタ室２２内でのアライメント治具３０の正確な位置決めを行えるようになっている。
【００２６】
また、図３に示すアライメント治具３０には、プレスフィットコネクタ２０側のコネクタ室２２に装脱する際に作業者が把持する把持部３５を基端部に備えている。この把持部３５では、左右両側の端面のうち一方側の端面３５Ａが、図４、図５に示すように、コネクタハウジング２１側のアライメントラインＡ．Ｌ．と一致するか否かを確認するための、もう一方の基準線を構成している。
【００２７】
押圧手段４０は、アライメント検知の際にコネクタ室２２内でのアライメント治具３０の正確な位置決めを行うために、コネクタハウジング２１の後述する一方側の端面側内壁面２２Ｄをアライメント治具３０の一面に、該一方側の端面側内壁面２２ＤがアライメントラインＡ．Ｌ．に位置するように押圧させるためのものである。この押圧手段４０は、具体的な構成は後述するが、コネクタハウジング２１の底部２５に設けた挿入穴２４およびその挿入穴２４に設けられたばね部材と、アライメント治具３０の一面に設けた、挿入穴２４に挿入され、ばね部材に押圧される突起とで構成されている。
【００２８】
即ち、本実施形態の押圧手段４０は、図６に示すように、コネクタハウジング２１のコネクタ室２２を画成するコネクタハウジング２１の底部２５の、前述した一方側の端面側内壁面（コネクタハウジング２１の「一方側の内部側面」を構成する）２２Ｄ近傍の角隅部分に設けた挿入穴２４、及びこの挿入穴２４を画成する内面に形成されたばね部材を構成する押圧片２６と、アライメント治具３０の先端面２０Ｂ側からコネクタハウジング２１の底部２５に向けて突設し、コネクタハウジング２１の挿入穴２４に挿入される突起３４と、を含んで構成される。
【００２９】
押圧片２６は、図６（Ａ）に示すように、絶縁性の樹脂材料で形成されているコネクタハウジング２１の底部２５の一部を穿設した挿入穴２４に向けて所定の角度θだけ傾斜した状態で形成されており、特に挿入穴２４の中央方向（図６（Ａ）では右方）に向けたばね力を発生させるために薄肉板状に形成されている。すなわち、ばね力が作用する方向は、一方側の端面側内壁面２２Ｄに向かう方向である。このような構成により、押圧片２６は、同図（Ｂ）に示すように、自身の有する固有のばね力（或いは復元力）により、アライメント治具３０の突起３４をコネクタハウジング２１のアライメント治具３０の一方側の側面（突起３４が設けられた側面）から一方側の端面側内壁面２２Ｄに押圧させることができる。つまり、コネクタ室２２を画成するコネクタハウジング２１の当接面αである、一方側の端面側内壁面２２Ｄに、アライメント治具３０の一面（基準線）を押圧した状態で当接させることができるわけである。
【００３０】
次に、本発明の実施形態に係るプレスフィットコネクタのアライメント装置１０の作用について説明する。
図５に示すように、アライメント治具３０をコネクタ室２２の奥部つまり底部２５のある方向（矢印方向）に押し込んでいくと、図６（Ｂ）に示すように、先端面３０Ｂよりも突出する突起３４がハウジング２１の底部２５の挿入穴２４に入り込んで行くとともに、挿入穴２４方向に傾斜した押圧片２６の外面２６Ａに弾性的に押圧される。
【００３１】
その結果、突起３４の外面３４Ａがコネクタハウジング２１のコネクタ室２２を画成する一方側の端面側内壁面２２Ｄに向けて押圧されることで、アライメント治具３０の中央突起３３Ａの外面３３１Ａが、コネクタハウジング２１の一方側の端面側内壁面２２Ｄに押圧する。これにより、アライメント治具３０がコネクタ室２２に正確に位置決めされるわけである。
【００３２】
このようにして、正確な位置決めがなされたアライメント治具３０は、把持部３５の両端面のうち中央突起３３Ａが設けてある方の端面３５Ａに沿ったラインと、コネクタハウジング２１の一方側（図４では右側）の端面側内壁面２２Ｄに形成されている第１突起２２１Ａ及び第２突起２２２Ａを繋ぐアライメントラインＡ．Ｌ．との一致具合を確認して、アライメント検知を行う。
【００３３】
このとき、これら双方のラインが一致していることが確認されれば、雌コネクタ部２３の各端子の取付位置精度が確認されたとともに、許容精度を越えた位置ずれの発生が見られる場合にはその位置調整が行われたといえる。
【００３４】
ところで、本実施形態に係るアライメント治具３０と、比較例として例示した図８に示すアライメント治具６０とについて、その構成及び作用を比較して説明する。
【００３５】
初めに、図８に示す比較例のアライメント治具６０は、図９に示すように、一面６０Ａ側に一対設けたばね室６１の内部にそれぞればね６２を内挿させるとともにそのばね６２の先端に剛球６３を設けた、ボールプランジャ６４を有しており、剛球６３をコネクタ室２２側に圧接させる構成である。
【００３６】
このような構成のアライメント治具６０では、このアライメント治具６０を各プレスフィットコネクタ２０のコネクタ室２２に挿脱させてアライメント検知を順次行っていくことが、多数台のプレスフィットコネクタ２０のアライメント検知を行うにつれて、ばね６２のへたりなどをもたらし、次第に弾性力が変化していくことで、高い精度での正確なアライメント検知を行うことができなく虞がある。
【００３７】
このように、このアライメント検知に用いるアライメント治具６０にあっては、何台ものプレスフィットコネクタ２０に対して同一治具を長期間にわたって使用し続けることで正確な検知動作を行えなくなる虞があるので、検知精度の低下をもたらす前に新しいものと交換することが重要となっている。ところが、積算使用時間に応じたアライメント治具６０の交換時期の確認及びその交換作業が厄介であるとともに、交換する治具のコストも嵩んでいる。
【００３８】
一方、図３に示す本実施形態に係るプレスフィットコネクタのアライメント装置１０のアライメント治具３０には、比較例のアライメント治具６０のようなばね６２を備えておらず、これに代えて突起３４を設けている。また、本実施形態のプレスフィットコネクタのアライメント装置１０では、図５、図６に示すプレスフィットコネクタ２０の方の底部２５に、挿入穴２４および押圧片２６を設けている。
【００３９】
従って、各プレスフィットコネクタ２０のアライメント検知では、毎回、そのプレスフィットコネクタ２０のコネクタハウジング２１に個々に備えた押圧片２６のばね力を利用してアライメント治具３０をコネクタ室２２側に押圧させている。
【００４０】
換言すれば、一台のプレスフィットコネクタ２０に対して、原則としてはアライメント治具３０を利用したアライメント検知を一度しか行わないで済むので、各プレスフィットコネクタ２０のコネクタハウジング２１に備えた押圧片２６の弾性力が弱まることがないわけである。一方、アライメント治具３０にはばねが不要となっているので、多数台のプレスフィットコネクタ２０に対してこれを何度でも挿脱させて使用しても、治具の交換が必要なく、その分、経費の節減を図ることができる。
【００４１】
従って、本実施形態によれば、コネクタ室２２に装着させる本実施形態のアライメント治具３０には、図８に示すコネクタ室２２に装着させている比較例のアライメント治具６０に比べ、経時的な劣化を起こすばねを持たないので、長期間にわたって多数台のプレスフィットコネクタ２０に対するアライメント検知用の治具として使用しても、高い精度でアライメント検知を行うことができる。
【００４２】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
例えば、本発明の押圧手段については、上述の一方側の内部側面２２Ｄと底部２５側との間の角隅部分に限らず、例えば他方側の内部側面２２Ａと底部２５側との間（角隅部分）に設けてもよいし、一方側の内部側面２２Ｄと他方側の内部側面２２Ａの間の任意の箇所に設けてもよい。
【符号の説明】
【００４３】
１０    アライメント装置
２０    プレスフィットコネクタ
２１    コネクタハウジング
２２    コネクタ室
２２Ａ    一方側の端面側内壁面
２３    雌コネクタ部
２４    挿入穴（押圧手段）
２５    底部
２６    押圧片（押圧手段）
３０    アライメント治具
３０Ａ    本体
３０Ｂ    先端面
３１    検査調整孔
３２    角状突起
３３Ａ、３３Ｂ    中央突起
３３１Ａ    中央突起の外面（一方側の側面）
３４    突起（押圧手段）
３５    把持部
３５Ａ    一方側の端面（基準線）
４０    押圧手段
５０    雄コネクタ（相手側コネクタ）
Ａ．Ｌ．    アライメントライン
α    当接面（一方側の内部側面）
【図１】
2011146233.tif 000003
【図２】
2011146233.tif 000004
【図３】
2011146233.tif 000005
【図４】
2011146233.tif 000006
【図５】
2011146233.tif 000007
【図６】
2011146233.tif 000008
【図７】
2011146233.tif 000009
【図８】
2011146233.tif 000010
【図９】
2011146233.tif 000011
【図１０】
2011146233.tif 000012
【図１１】
2011146233.tif 000013